【手続補正書】
【提出日】平成19年10月9日(2007.10.9)
【手続補正１】
【補正対象書類名】明細書
【補正対象項目名】特許請求の範囲
【補正方法】変更
【補正の内容】
【特許請求の範囲】
【請求項１】  光源手段と、前記光源手段から出射した光束を光偏向器に導光する入射光学系と、前記光偏向器の偏向面にて偏向された光束を被走査面上に結像させる結像光学系と、を有する光走査装置において、
前記入射光学系は、回折部とプラスチック材料からなる屈折部とを有する光学手段を備えており、
ｆｆθ：前記結像光学系の主走査断面内の焦点距離（ｍｍ）
ｆ：前記光学手段の主走査断面内の焦点距離（ｍｍ）
ｗ０：前記被走査面上における主走査断面内のスポット径（ｍｍ）
λ０：前記光源手段の基準発振波長（ｍｍ）
φλ０ｒｅｆｒ：前記光源手段の基準発振波長における前記光学手段の屈折部のパワー（１／ｍｍ）
φλ０ｄｉｆｆ：前記光源手段の基準発振波長における前記光学手段の回折部のパワー（１／ｍｍ）
ｖｔｒｅｆｒ：５℃から５０℃の温度範囲における前記光学手段の材質の屈折率の環境温度依存性による屈折部に分散値
ｖｔｄｉｆｆ：５℃から５０℃の温度範囲における前記光学手段の材質の屈折率の環境温度依存性による回折部に分散値
とするとき、
【数１】
2004126192.tif 000001
なる条件を満足することを特徴とする光走査装置。
【請求項２】  光源手段と、前記光源手段から出射した光束を光偏向器に導光する入射光学系と、前記光偏向器の偏向面にて偏向された光束を被走査面上に結像させる結像光学系と、を有する光走査装置において、
前記入射光学系は、回折部とプラスチック材料からなる屈折部とを有する光学手段と、前記光源手段と前記光学手段を一体的に保持する保持手段と、を備えており、
ｆｆθ：前記結像光学系の主走査断面内の焦点距離（ｍｍ）
ｆ：前記光学手段の主走査断面内の焦点距離（ｍｍ）
ｗ０：前記被走査面上における主走査断面内のスポット径（ｍｍ）
λ０：前記光源手段の基準発振波長（ｍｍ）
ｎλ０：前記光源手段の基準発振波長における前記光学手段の材質の屈折率
ｄｎ：環境温度が２５℃上昇したときの前記光学手段の材質の屈折率の変化量
ρ：前記保持手段の線膨張係数
ａ／ｂ：基準発振波長λ０における前記光学手段の回折部のパワーに対する屈折部のパワーの比率
とするとき、
【数２】
2004126192.tif 000002
なる条件を満足することを特徴とする光走査装置。
【請求項３】  請求項１又は２に記載の光走査装置と、外部機器から入力したコードデータを画像データに変換して前記光走査装置に入力せしめるプリンタコントローラとを有していることを特徴とする画像形成装置。
【手続補正２】
【補正対象書類名】明細書
【補正対象項目名】００１４
【補正方法】変更
【補正の内容】
【００１４】
【課題を解決するための手段】
請求項１の発明の光走査装置は、光源手段と、前記光源手段から出射した光束を光偏向器に導光する入射光学系と、前記光偏向器の偏向面にて偏向された光束を被走査面上に結像させる結像光学系と、を有する光走査装置において、
前記入射光学系は、回折部とプラスチック材料からなる屈折部とを有する光学手段を備えており、
ｆｆθ：前記結像光学系の主走査断面内の焦点距離（ｍｍ）
ｆ：前記光学手段の主走査断面内の焦点距離（ｍｍ）
ｗ０：前記被走査面上における主走査断面内のスポット径（ｍｍ）
λ０：前記光源手段の基準発振波長（ｍｍ）
φλ０ｒｅｆｒ：前記光源手段の基準発振波長における前記光学手段の屈折部のパワー（１／ｍｍ）
φλ０ｄｉｆｆ：前記光源手段の基準発振波長における前記光学手段の回折部のパワー（１／ｍｍ）
ｖｔｒｅｆｒ：５℃から５０℃の温度範囲における前記光学手段の材質の屈折率の環境温度依存性による屈折部に分散値
ｖｔｄｉｆｆ：５℃から５０℃の温度範囲における前記光学手段の材質の屈折率の環境温度依存性による回折部に分散値
とするとき、
【数３】
2004126192.tif 000003
なる条件を満足することを特徴としている。
【手続補正３】
【補正対象書類名】明細書
【補正対象項目名】００１５
【補正方法】変更
【補正の内容】
【００１５】
請求項２の発明の光走査装置は、光源手段と、前記光源手段から出射した光束を光偏向器に導光する入射光学系と、前記光偏向器の偏向面にて偏向された光束を被走査面上に結像させる結像光学系と、を有する光走査装置において、
前記入射光学系は、回折部とプラスチック材料からなる屈折部とを有する光学手段と、前記光源手段と前記光学手段を一体的に保持する保持手段と、を備えており、
ｆｆθ：前記結像光学系の主走査断面内の焦点距離（ｍｍ）
ｆ：前記光学手段の主走査断面内の焦点距離（ｍｍ）
ｗ０：前記被走査面上における主走査断面内のスポット径（ｍｍ）
λ０：前記光源手段の基準発振波長（ｍｍ）
ｎλ０：前記光源手段の基準発振波長における前記光学手段の材質の屈折率
ｄｎ：環境温度が２５℃上昇したときの前記光学手段の材質の屈折率の変化量
ρ：前記保持手段の線膨張係数
ａ／ｂ：基準発振波長λ０における前記光学手段の回折部のパワーに対する屈折部のパワーの比率
とするとき、
【数４】
2004126192.tif 000004
なる条件を満足することを特徴としている。
【手続補正４】
【補正対象書類名】明細書
【補正対象項目名】００１６
【補正方法】変更
【補正の内容】
【００１６】
請求項３の発明の画像形成装置は、請求項１又は２に記載の光走査装置と、外部機器から入力したコードデータを画像データに変換して前記光走査装置に入力せしめるプリンタコントローラとを有していることを特徴としている。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４５
【補正方法】変更
【補正の内容】
【００４５】
３は開口絞りであり、通過光束を制限してビーム形状を整形している。４はシリンドリカルレンズ（レンズ系）であり、副走査方向にのみ所定のパワー(屈折力)を有しており、開口絞り３を通過した光束を副走査断面内で後述する光偏向器５の偏向面（反射面）５ａにほぼ線像として結像させている。コリメータレンズ２、開口絞り３、シリンドリカルレンズ４は入射光学系の一部を構成している。
【手続補正３１】
【補正対象書類名】明細書
【補正対象項目名】００５１
【補正方法】変更
【補正の内容】
【００５１】
そして、所定の条件を満足することを特徴としている。以下、その詳細を説明する。尚、以下の説明において、「５℃〜５０℃の環境感度」は「５℃から５０℃の温度範囲」を、「中心発振波長」は「基準発振波長」を、「ビーム半径ｗ０」は「スポット径ｗ０」を、「２５℃昇温」は「２５℃上昇」を、意味している。